(57)【要約】【課題】本考案は、男性用小用便器に対して小用時に手荷物となる傘や鞄等の荷物はトイレ用傘置きを利用することにより快適に小用を済ませることができ尚且つ清掃しやすいデザインと防水性に優れた材質を提供するものである。  【解決手段】  各男性用小便器に対して設置し、トイレ利用時に傘置きポール２の中央湾曲部の傘掛け部３に傘を預ける。折りたたみ傘や傘以外の手荷物も傘置きポール２の上部に置くことができ、小用を済ます時に両手の開放感を得られ、快適に済ますことができる。これから先の時代にもふさわしいシンプルなデザインからなり清掃しやすいような形状と材質はステンレス製であるので防水性も備えていることにより上記課題を解決するものである。  【選択図】  図４
0003112298.tif 000002
【実用新案登録請求の範囲】
【請求項１】
材質がステンレス製の長方形の本体に傘を掛ける為にポール中央に湾曲の形状からなる傘置きポールを有し、さらに傘置きポールは折りたたみ傘を床と平行に置くことができ、又は買い物袋、ビジネスバック、書類袋等の一般的に男性が持ち歩く手持ち品を排泄時に預けることが可能な強度を備えたことを特徴とする小便器脇の壁に備え付けたトイレ用傘置き。
【考案の詳細な説明】
【技術分野】
【０００１】
本考案は、男性用小便器脇の壁に本体が手荷物も置くことが可能なトイレ用傘置きに関するものである。
【背景技術】
【０００２】
例えば（特許文献１）に示したように、各種ホールや観光バスにおける各座席の背もたれ背面部に傘を挿入できる有底の筒部と、該筒部を座席背もたれ部背面に固定するための固定部を有する座席用傘立てがある。
【特許文献１】実開平６−３９６０４号公報
【考案の開示】
【考案が解決しようとする課題】
【０００３】
近代、男性も女性も外出時において、両手に何も持ち物がない状況はごくまれである。
人が季節を通して外出先で生理現象の用を済ます場合、女性用トイレは全てがドアつき個室であり、ドアの内側には必ず物掛け用のフックが設置されており、女性はいかなる時も両手が持ち物全てから開放され、バックや買い物袋などの手荷物を視界の中に預け、用を済ませる安心感と便利さが共存する。
男性用のトイレには生理的現象の使用目的により構造形態が分割されてあり、女性用とは建築構造が異なっており、個室で用を済ます時は女性同様持ち物からの両手開放と視界の中での持ち物の確保への安全性は保たれるが、そうでない小用を済ます時には持ち物を預けて視野の範囲で両手を開放できるような配慮がない。
また利用場所からも分かるように汚れやすい場所での配慮としての掃除しやすい材質や形状ではないという欠点があった。
【課題を解決するための手段】
【０００４】
本考案は、男性用の小用便器一つに対してそれぞれ設置し、耐水性のある長方形状のステンレスからなる本体のプレートと接合する傘置きポール中央に湾曲のデザインの傘掛け部があり、この傘置きポールには床と平行に折りたたみ傘を置くのはもちろんのこと、小用を済ます時に不便となった手荷物を置くことも可能であり、無理な姿勢で小用を済ませる必要がなく持ち物を預けて視野の範囲で両手を開放することができる。そして、ステンレス製と本体形状を簡易的な物にすることにより掃除しやすく上記の課題を解決するものである。
【考案の効果】
【０００５】
本考案に係るトイレ用傘置きは、利用者が雨天時の傘を置くのは勿論のこと、生理現象の用を済ます場合、女性と男性の小用の済ませ方の違うトイレ空間で、持ち物があったときの配慮があまりなされていないことの不便さについて前向きに改良されるべく、傘以外の手荷物となりえるビジネスバック、買い物袋等が小用を済ますときにおいて、視界の範囲内におさめることで両手が自由に使え安心して快適に小用を済ますことができる。
【考案を実施するための最良の形態】
【０００６】
男性用トイレの小用便器の個々の隣に設置し、図１に示すように本体プレート１を壁に設置する。あらゆる男性が利用可能な高さに設置し、汚れない位置であることにも配慮する。傘を置く場合は、傘掛け部３に傘を置き預けることができる。又、折りたたみ傘を傘置きポール２の上に預ける形状にしており、傘だけではなく傘置きポール２には手荷物となっているものを置くこともできる機能を有しており、小用を安心して快適に済ますことができる。素材・形状についても、清掃しやすい耐水性のあるステンレス製であり、傘置きポール２については傘以外の手荷物を預けられるだけの強度のあるものである。共有部分に取付けることを考慮してシンプルなデザインからなる。
【０００７】
図３に示すように本体プレートは、利用する男性が利用可能な高さに設置し傘掛け部３で傘を預けることが可能であり壁に対してはネジ穴４にネジで取り付けてある。傘置きポール２には手荷物を置ける機能も有しているので、耐久性にも優れている形状を施す。
【０００８】
図４に示すように傘置きポール２には鞄を置くことも可能であり、その際傘も一緒に傘掛け部３に預けることができる。
【０００９】
図５に示すように傘置きポール２には折りたたみ傘を床と平行に置くことができる機能も有している。
【産業上の利用可能性】
【００１０】
公共的空間として利用されている駅、ホテル、コミュニティーセンター、ショッピングセンター、レストラン、教育施設、病院、映画館等のトイレをはじめ、オフィスビル、デパート、娯楽施設等のあらゆるトイレに対して、サービスのひとつの付加価値となりえるものであり、公共用トイレは勿論のこと全ての小用便器のトイレに対して利用可能なものである。
【図面の簡単な説明】
【００１１】
【図１】本考案に係るトイレ用傘置きの正面図である。
【図２】本考案に係るトイレ用傘置きの側面図である。
【図３】本考案に係るトイレ用傘置きの設置図である。
【図４】本考案に係るトイレ用傘置きの傘と鞄を預けた図である。
【図５】本考案に係るトイレ用傘置きの折りたたみ傘を預けた図である。
【符号の説明】
【００１２】
１    本体プレート
２    傘置きポール兼手荷物置き
３    傘掛け部
４    ネジ穴
【図１】
0003112298.tif 000003
【図２】
0003112298.tif 000004
【図３】
0003112298.tif 000005
【図４】
0003112298.tif 000006
【図５】
0003112298.tif 000007
【手続補正書】
【提出日】平成17年5月20日(2005.5.20)
【手続補正１】
【補正対象書類名】実用新案登録請求の範囲
【補正対象項目名】請求項１
【補正方法】変更
【補正の内容】
【請求項１】
各男性用小便器脇に取り付けられた本体プレートに傘を掛ける為に中央部に湾曲の形状からなる傘置きポールが一体形成され、さらに傘置きポールは折りたたみ傘を床と平行に置くことができ、又は買い物袋、ビジネスバック、書類等の男性が持ち歩く手荷物品を排泄時に預けることが可能な強度を備えたことを特徴とするトイレ用傘置き。
【手続補正２】
【補正対象書類名】明細書
【補正対象項目名】０００６
【補正方法】変更
【補正の内容】
【０００６】
男性用トイレの個々の小用便器の隣に設置し、図１に示すように中央部に湾曲の形状からなる傘置きポール２と一体形成された本体プレート１を壁に設置する。あらゆる男性が利用可能な高さに設置し、汚れない位置であることにも配慮する。傘を置く場合は、傘掛け部３に傘を置き預けることができる。又、折りたたみ傘を傘置きポール２の上に預ける形状にしており、傘だけではなく傘置きポール２には手荷物となっているものを置くこともできる機能を有しており、小用を安心して快適に済ますことができる。素材・形状についても、清掃しやすい耐水性のあるステンレス製であり、傘置きポール２については傘以外の手荷物を預けられるだけの強度のあるものである。共有部分に取付けることを考慮してシンプルなデザインからなる。